【手続補正書】
【提出日】平成19年12月7日(2007.12.7)
【手続補正１】
【補正対象書類名】特許請求の範囲
【補正対象項目名】全文
【補正方法】変更
【補正の内容】
【特許請求の範囲】
【請求項１】
画像を表示するための表示パネルと、
前記表示パネルに光を照射するための光源と、
前記光源と前記表示パネルとの間に配置され、前記光源から照射された光を、第１の偏光軸を有する光と、前記第１の偏光軸とは異なる第２の偏光軸を有する光とに分離するための偏光軸制御手段と、
前記偏光軸制御手段と前記表示パネルとの間に配置され、前記偏光軸制御手段により分離された前記第１の偏光軸を有する光および前記第２の偏光軸を有する光を、それぞれ、所定の方向に進行させるとともに、観察者の左右の目を結んだ線分に対して交差する第１の方向に延びるように形成された少なくとも１つのレンズ部を含むレンズと、
前記表示パネルと前記レンズとの間に配置され、第３の偏光軸を有する光と、前記第３の偏光軸とは異なる第４の偏光軸を有する光を出射させるための第１位相差板とを備えた、画像表示装置。
【請求項２】
前記偏光軸制御手段には、第１の偏光軸を有する光を出射させるための第１偏光制御領域と、前記第１の偏光軸とは異なる第２の偏光軸を有する光を出射させるための第２偏光制御領域とが前記第１の方向に延びるとともに前記第１の方向と直交する第２の方向に交互に設けられており、
前記レンズは、前記第１の方向に延びるように形成された実質的に半円柱状の第１レンズ部が前記第１偏光制御領域および前記第２偏光制御領域からなる組に対応して設けられ、前記第１偏光制御領域から出射された前記第１の偏光軸を有する光および前記第２偏光制御領域から出射された前記第２の偏光軸を有する光を、それぞれ、所定の方向に進行させるための第１レンチキュラーレンズを含む、請求項１に記載の画像表示装置。
【請求項３】
前記第１位相差板には、前記第３の偏光軸を有する光を出射させるための第３偏光制御領域と、前記第４の偏光軸を有する光を出射させるための第４偏光制御領域とが前記第１の方向に直交する第２の方向に延びるとともに前記第１の方向に交互に設けられており、
前記表示パネルには、前記第２の方向に延びる第１画素列と第２画素列とが交互に設けられており、
前記第１位相差板の前記第２の方向に延びるように設けられた前記第３偏光制御領域および前記第４偏光制御領域は、それぞれ、前記表示パネルの前記第２の方向に延びるように設けられた前記第１画素列および前記第２画素列に対応するように設けられている、請求項１または２に記載の画像表示装置。
【請求項４】
前記第１位相差板の前記第２の方向に延びるように設けられた前記第３偏光制御領域と前記第４偏光制御領域との間には、遮光領域が設けられている、請求項３に記載の画像表示装置。
【請求項５】
前記表示パネルの第１画素列と第２画素列との間には、遮光部材が設けられている、請求項４に記載の画像表示装置。
【請求項６】
前記偏光軸制御手段は、前記第１の偏光軸を有する光を出射させるための第１偏光制御領域と、前記第１の偏光軸とは異なる前記第２の偏光軸を有する光を出射させるための第２偏光制御領域とが前記第１の方向に延びるとともに前記第１の方向と直交する第２の方向に交互に設けられた偏光制御液晶パネルを含む、請求項１〜５のいずれか１項に記載の画像表示装置。
【請求項７】
前記偏光制御液晶パネルには、前記偏光制御液晶パネルの第１偏光制御領域および第２偏光制御領域を制御するための複数の電極が設けられており、
前記偏光制御液晶パネルの複数の電極の駆動を制御することにより、前記光源から照射される光の到達領域を制御することによって、平面画像の２画面表示と立体表示との切り換えを行う、請求項６に記載の画像表示装置。
【請求項８】
前記偏光制御液晶パネルは、前記偏光制御液晶パネルの複数の電極の駆動を制御することにより、前記表示パネルの１／ｎフレーム期間（ｎは２以上の自然数）毎に、前記偏光制御液晶パネルの第１偏光制御領域と第２偏光制御領域とが入れ替わるように制御することによって、平面画像を提供する、請求項７に記載の画像表示装置。
【請求項９】
前記表示パネルは、前記偏光制御液晶パネルの第１偏光制御領域と第２偏光制御領域との入れ替わりに同期して、前記表示パネルの１／ｎフレーム期間（ｎは２以上の自然数）毎に、前記表示パネルの第１画素列と第２画素列とに表示される左目用の画像と右目用の画像とが入れ替わるように制御することによって、立体画像を提供する、請求項８に記載の画像表示装置。
【請求項１０】
前記１／ｎフレーム期間は、１／２フレーム期間である、請求項８または９に記載の画像表示装置。
【請求項１１】
前記表示パネルと前記第１位相差板との間に配置され、前記第１の方向に直交する第２の方向に延びるように形成された実質的に半円柱状の第２レンズ部が設けられた第２レンチキュラーレンズとをさらに備える、請求項１〜１０のいずれか１項に記載の画像表示装置。
【請求項１２】
前記表示パネルと前記第１位相差板との間に配置され、前記第１の方向に直交する第２の方向に延びるように形成された開口部および遮光部が交互に設けられたバリアとをさらに備える、請求項１〜１０のいずれか１項に記載の画像表示装置。
【請求項１３】
観察者の位置を検出するための位置検出手段と、
前記位置検出手段により検出された前記観察者の位置に応じて、前記偏光制御液晶パネルの第１偏光制御領域および第２偏光制御領域を移動させるための制御部とをさらに備える、請求項６〜１０のいずれか１項に記載の画像表示装置。
【請求項１４】
前記偏光軸制御手段は、第１の偏光軸を有する光を出射させるための第１偏光制御領域と、前記第１の偏光軸とは異なる第２の偏光軸を有する光を出射させるための第２偏光制御領域とが前記第１の方向に延びるとともに前記第１の方向と直交する第２の方向に交互に設けられた第２位相差板を含む、請求項１または２に記載の画像表示装置。
【請求項１５】
前記偏光制御液晶パネルの第１偏光領域および第２偏光領域の前記第２の方向の長さと位置とを変化させることにより、前記第１偏光領域および前記第２偏光領域と、前記レンズとを介して進行する光の到達位置を制御して、異なる観察位置に異なる平面画像を提供するとともに、立体画像を提供することを特徴とする、請求項６〜１０のいずれか１項に記載の画像表示装置。
【請求項１６】
前記第１位相差板と前記表示パネルとの間に配置され、前記第３の偏光軸を有する光および前記第４の偏光軸を有する光のいずれか一方を透過する第１偏光板をさらに備えることを特徴とする、請求項１〜１５のいずれか１項に記載の画像表示装置。
【請求項１７】
前記光源と前記偏光軸制御手段との間に配置され、前記第１の偏光軸および前記第２の偏光軸のいずれか一方を有する光を透過する第２偏光板をさらに備える、請求項１〜１６のいずれか１項に記載の画像表示装置。
【請求項１８】
前記偏光制御液晶パネルの複数の電極は、それぞれ、前記第１の方向に沿って延びるように設けられている、請求項７に記載の画像表示装置。
【手続補正２】
【補正対象書類名】明細書
【補正対象項目名】００１６
【補正方法】変更
【補正の内容】
【００１６】
上記目的を達成するために、この発明の一の局面による画像表示装置は、画像を表示するための表示パネルと、表示パネルに光を照射するための光源と、光源と表示パネルとの間に配置され、光源から照射された光を、第１の偏光軸を有する光と、第１の偏光軸とは異なる第２の偏光軸を有する光とに分離するための偏光軸制御手段と、偏光軸制御手段と表示パネルとの間に配置され、偏光軸制御手段により異なる偏光軸を有するように分離された第１の偏光軸を有する光および第２の偏光軸を有する光を、それぞれ、所定の方向に進行させるとともに、観察者の左右の目を結んだ線分に対して交差する第１の方向に延びるように形成された少なくとも１つのレンズ部を含むレンズと、表示パネルとレンズとの間に配置され、第３の偏光軸を有する光と、第３の偏光軸とは異なる第４の偏光軸を有する光を出射させるための第１位相差板とを備えている。
【手続補正３】
【補正対象書類名】明細書
【補正対象項目名】００１９
【補正方法】変更
【補正の内容】
【００１９】
上記一の局面による画像表示装置において、好ましくは、第１位相差板には、第３の偏光軸を有する光を出射させるための第３偏光制御領域と、第４の偏光軸を有する光を出射させるための第４偏光制御領域とが第１の方向に直交する第２の方向に延びるとともに第１の方向に交互に設けられており、表示パネルには、第２の方向に延びる第１画素列と第２画素列とが交互に設けられており、第１位相差板の第２の方向に延びるように設けられた第３偏光制御領域および第４偏光制御領域は、それぞれ、表示パネルの第２の方向に延びるように設けられた第１画素列および第２画素列に対応するように設けられている。このように構成すれば、第１位相差板の第３偏光制御領域を透過した光を、表示パネルの第１画素列に入射させるとともに表示パネルに表示される画像情報を保持させた状態で、一方の観察者に向かって進行させることができる。また、第４偏光領制御域を透過した光を、表示パネルの第２画素列に入射させるとともに表示パネルに表示される画像情報を保持させた状態で、他方の観察者に向かって進行させることができる。これにより、容易に、観察位置の異なる観察者に、異なる画像を提供することができる。
【手続補正４】
【補正対象書類名】明細書
【補正対象項目名】００２４
【補正方法】変更
【補正の内容】
【００２４】
上記偏光制御液晶パネルの電極の駆動を制御する画像表示装置において、好ましくは、偏光制御液晶パネルは、偏光制御液晶パネルの複数の電極の駆動を制御することにより、表示パネルの１／ｎフレーム期間（ｎは２以上の自然数）毎に、偏光制御液晶パネルの第１偏光制御領域と第２偏光制御領域とが入れ替わるように制御することによって、平面画像を提供する。このように構成すれば、少なくとも１フレーム期間の間に、観察者の右目に、表示パネルの第１画素列に表示される平面画像と表示パネルの第２画素列に表示される平面画像との両方を入射させることができるとともに、観察者の左目に、表示パネルの第２画素列に表示される画像と表示パネルの第１画素列に表示される画像との両方を入射させることができる。その結果、観察者に画像劣化の少ない平面画像（２Ｄ画像）を提供することができる。
【手続補正５】
【補正対象書類名】明細書
【補正対象項目名】００２５
【補正方法】変更
【補正の内容】
【００２５】
この場合、表示パネルは、偏光制御液晶パネルの第１偏光制御領域と第２偏光制御領域との入れ替わりに同期して、表示パネルの１／ｎフレーム期間（ｎは２以上の自然数）毎に、表示パネルの第１画素列と第２画素列とに表示される左目用の画像と右目用の画像とが入れ替わるように制御することによって、立体画像を提供するようにしてもよい。このように構成すれば、少なくとも１フレーム期間の間に、観察者の右目に、表示パネルの第１画素列に表示される右目用画像と表示パネルの第２画素列に表示される右目用画像とを入射させることができるとともに、観察者の左目に、表示パネルの第２画素列に表示される左目用画像と表示パネルの第１画素列に表示される左目用画像とを入射させることができる。これにより、少なくとも１フレーム期間の間に、観察者の右目は、表示パネルの全ての領域に表示される右目用画像を見ることができるとともに、観察者の左目は、表示パネルの全ての領域に表示される左目用画像を見ることができるので、観察者は、画像劣化の少ない立体画像を見ることができる。
【手続補正６】
【補正対象書類名】明細書
【補正対象項目名】００２７
【補正方法】変更
【補正の内容】
【００２７】
上記一の局面による画像表示装置において、好ましくは、表示パネルと第１位相差板との間に配置され、第１の方向に直交する第２の方向に延びるように形成された実質的に半円柱状の第２レンズ部が設けられた第２レンチキュラーレンズとをさらに備える。このように構成すれば、第１位相差板の第３偏光制御領域を透過した光を、第２レンチキュラーレンズの第２レンズ部により、表示パネルの第１画素列に入射させるとともに、第１位相差板の第４偏光制御領域を透過した光を、第２レンチキュラーレンズの第２レンズ部により、表示パネルの第２画素列に入射させることができる。その結果、各観察者に見るべき画像とは異なる画像が提供されるのを容易に抑制することができる。
【手続補正７】
【補正対象書類名】明細書
【補正対象項目名】００２８
【補正方法】変更
【補正の内容】
【００２８】
上記一の局面による画像表示装置において、好ましくは、表示パネルと第１位相差板との間に配置され、第１の方向に直交する第２の方向に延びるように形成された開口部および遮光部が交互に設けられたバリアとをさらに備える。このように構成すれば、第１位相差板の第３偏光制御領域を透過した光が、表示パネルの第２画素列を通過して観察者の目に入射するのをバリアの遮光部により抑制するとともに、第１位相差板の第４偏光制御領域を透過した光が、表示パネルの第１画素列を通過して観察者の目に入射するのをバリアの遮光部により抑制することができる。その結果、各観察者に見るべき画像とは異なる画像が提供されるのを容易に抑制することができる。
【手続補正８】
【補正対象書類名】明細書
【補正対象項目名】００２９
【補正方法】変更
【補正の内容】
【００２９】
上記偏光制御液晶パネルを含む画像表示装置において、好ましくは、観察者の位置を検出するための位置検出手段と、位置検出手段により検出された観察者の位置に応じて、偏光制御液晶パネルの第１偏光制御領域および第２偏光制御領域を移動させるための制御部とをさらに備える。このように構成すれば、観察者が動くのを位置検出手段により検出するとともに、その位置情報に基づいて偏光制御液晶パネルの第１偏光制御領域と第２偏光制御領域とを移動させることができるので、観察者が動いた場合にも、観察者に適切な画像を提供することができる。
【手続補正９】
【補正対象書類名】明細書
【補正対象項目名】００３０
【補正方法】変更
【補正の内容】
【００３０】
上記偏光軸制御手段を備えた画像表示装置において、偏光軸制御手段は、第１の偏光軸を有する光を出射させるための第１偏光制御領域と、第１の偏光軸とは異なる第２の偏光軸を有する光を出射させるための第２偏光制御領域とが第１の方向に延びるとともに第１の方向と直交する第２の方向に交互に設けられた第２位相差板を含むようにしてもよい。このように構成すれば、第２位相差板により、偏光軸制御手段として偏光制御液晶パネルを用いる場合に比べてより簡単な構成で、光源から照射された光を異なる偏光軸を有する光に分離することができる。また、上記偏光制御液晶パネルを含む画像表示装置において、好ましくは、偏光制御液晶パネルの第１偏光領域および第２偏光領域の第２の方向の長さと位置とを変化させることにより、第１偏光領域および第２偏光領域と、レンズとを介して進行する光の到達位置を制御して、異なる観察位置に異なる平面画像を提供するとともに、立体画像を提供することを特徴とする。また、上記一の局面による画像表示装置において、好ましくは、第１位相差板と表示パネルとの間に配置され、第３の偏光軸を有する光および第４の偏光軸を有する光のいずれか一方を透過する第１偏光板をさらに備えることを特徴とする。また、上記一の局面による画像表示装置において、好ましくは、光源と偏光軸制御手段との間に配置され、第１の偏光軸および第２の偏光軸のいずれか一方を有する光を透過する第２偏光板をさらに備える。また、上記偏光制御液晶パネルに複数の電極が設けられた画像表示装置において、好ましくは、偏光制御液晶パネルの複数の電極は、それぞれ、第１の方向に沿って延びるように設けられている。